【事件の表示】
　特願２００１−　５２３６０「エンタテインメント装置及びその部品、エンタテインメント装置によるディジタル情報のローディング方法、コンピュータプログラム」拒絶査定不服審判事件〔平成１３年１１月１６日出願公開、特開２００１−３１８７６８〕について、次のとおり審決する。
【結　論】
　本件審判の請求は、成り立たない。
【理　由】
第１．手続の経緯 
　本願は、平成１３年２月２７日（優先権主張平成１２年３月２日）の出願であって、平成１６年６月３０日付けの拒絶の理由の通知に対して、その指定された期間内の同年８月２７日付けで意見書及び補正書が提出されたが、同年１０月２８日付けで拒絶の査定がなされ、同年１２月２日に拒絶査定に対する審判請求がなされるとともに、同年１２月２８日付けで手続補正がなされたものである。
 　 
第２．平成１６年１２月２８日付けの手続補正について 
　［結論］平成１６年１２月２８日付けの手続補正（以下、「本件補正」という。）を却下する。
　その理由は以下のとおり。
　
  ［理由］ 
（１）．補正後の本願発明
　
　本件補正により、特許請求の範囲の請求項５は、　
「【請求項５】
　内部メモリにロードされたディジタル情報に基づいて所定のエンタテインメント処理を実行する手段を備えたエンタテインメント装置に装着される半導体ディバイスであって、少なくともその一部が圧縮且つ暗号化された暗号化情報を所定の記録媒体から読み出し、読み出した暗号化情報を自らが復号化し又は他の復号化手段に復号化させ、これによって得られた復号化データを伸長して前記ディジタル情報を生成するとともに、生成したディジタル情報を
、自己
との間に設けられたキューを介して前記内部メモリに
（なお、アンダーラインは、補正箇所を示すために付した。） 」
と補正された。　
　
　上記補正は補正前の請求項５に係る発明を特定するために必要な事項である「生成したディジタル情報を前記内部メモリにロードさせる」について「自己と前記内部メモリとの間に設けられたキューを介して」との限定を付加するものであって、特許法第１７条の２第５項の特許請求の範囲の減縮を目的とするものに該当する。
　
　そこで、本件補正後の前記請求項５に係る発明（以下、「本願補正発明」という。）が特許出願の際独立して特許を受けることができるものであるか（特許法第１７条の２第５項において準用する同法第１２６条第５項の規定に適合するか）について以下に検討する。
　
（２）．刊行物の記載
　
　刊行物１記載発明 
　原査定の拒絶理由に引用された特願平９−４４９９３号公報（平成９年２月１４日出願公開。以下、「刊行物１」という。）には、情報記録方法及び装置、関数記録方法及び装置並びに情報再生方法及び装置に関して、図面と共に、以下の事項が記載されている。
　
【００６４】更に、需要者による不法な改造等を防止するため、再生装置特定コードメモリ２２と逆スクランブル関数発生器２３を一体不可分のＬＳＩ（Large Scale Integration ）回路により構成し、又は同様の目的のため、ＩＣカードＣに逆スクランブル関数発生器２３を内蔵するようにすることもできる。
　
【００７５】・・・（中略）・・・
（IV）第３実施形態
次に、第１実施形態における光ディスクＤＫを、コンピュータ用の記録媒体であるＣＤ−ＲＯＭ（Compact Disk-Read Only Memory ）に応用した場合の第３実施形態について図６を用いて説明する。
【００７６】第３実施形態においては、情報記録装置及びＩＣカード発行機は第１実施形態と同様のものであるので、細部の説明は省略する。但し、本実施形態においては、記録信号ＳR として、映像情報や音楽情報を含む記録信号ではなく、コンピュータ用のディジタルデータが暗号化され記録されている。
【００７７】次に、第３実施形態における再生機及びコンピュータについて説明する。なお、以下の説明において、第１実施形態と同様の部材については同様の部材番号を付し、細部の説明は省略する図６に示すように、第３実施形態における再生機Ｓ6 は、ディジタルデータであるコード多重暗号化記録信号ＳRSA が記録されている光ディスクＤＫから当該コード多重暗号化記録信号ＳRSA を検出するピックアップ２０と、検出されたコード多重暗号化記録信号ＳRSA から暗号化記録信号ＳRSを抽出する再生回路２１のみにより構成されている。そして、再生装置特定コードメモリ２２、逆スクランブル関数発生器２３、逆スクランブル回路２４は、コンピュータＣＯ中の拡張スロットに挿入される逆スクランブルボードＢ上に配置され、そこにＩＣカードＣからの変形逆スクランブル関数信号ＳRFX を所定の方法で入力することにより暗号化記録信号ＳRSの解読・再生を行う。そして、再生された記録信号ＳR がＣＰＵ等を含むコンピュータ本体Ｍに出力される。逆スクランブルボードＢ上における各部材の動作は第１実施形態と同様であるので、細部の説明は省略する。
【００７８】第３実施形態においては、再生機Ｓ6 から出力されるのは、暗号化記録信号ＳR のみであるので、不法にコピーされることはなく、更に、再生された記録信号ＳR は、コンピュータＣＯの内部でのみ授受されるので、盗用することが非常に困難となる。
【００７９】以上説明したように、第３実施形態によれば、光ディスクＤＫを、コンピュータ用のＣＤ−ＲＯＭに適用した場合でも、第１実施形態と同様の効果を得ることができる。
【００８０】なお、第３実施形態では、ＩＣカードＣの代わりに、変形逆スクランブル関数信号ＳRFX を記録する記録媒体としてフレキシブルディスク（ＦＤ）を用いることも可能である。この場合には、コンピュータＣＯのＦＤドライブ装置で変形逆スクランブル関数信号ＳRFX を読取り、直接スクランブルボードＢ上の逆スクランブル関数発生器２３に出力することとなる。
　
　これらの記載によれば、刊行物１には、次の発明（以下、「刊行物１記載発明」という。）が記載されているものと認められる。 
 　 
　「コンピュータＣＯ中の拡張スロットに挿入され、ＬＳＩがその上に配置される逆スクランブルボードＢであって、その上に配置された逆スクランブル回路２４が、暗号化され記録されているコード多重暗号化記録信号ＳRSAを光ディスクＤＫから検出し、検出されたコード多重暗号化記録信号ＳRSA から抽出した暗号化記録信号ＳRSを、ＩＣカードＣからの変形逆スクランブル関数信号ＳRFX を所定の方法で入力することにより解読・再生を行い、再生されたコンピュータ用のディジタルデータをＣＰＵ等を含むコンピュータ本体Ｍに出力する逆スクランブルボードＢ」
　
　原査定の拒絶理由に引用された特開平８−８３３号公報（平成８年１月９日出願公開。以下、「刊行物２」という。）には、図面と共に、以下の事項が記載されている。
　
【００４９】内容ファイルのアクセスと読取りを、図１４の諸ステップに示す。ステップ１５８で、ディレクトリ・ファイルの暗号解読が起こる。ステップ１６０で、このディレクトリ・ファイルを使用して内容ファイルを見つける。明らかに、その結果、ステップ１６４での内容ファイルの暗号解読を開始するために、ステップ１６２で内容ファイルが読み取られる。ステップ１４４で圧縮オプションが実行された場合には、ステップ１６６で内容ファイルを伸長し、ステップ１６８で使用する準備のできたファイルを提示する。
　
　原査定の拒絶理由に引用された特開平１１−３４６１９９号公報（平成１１年１２月１４日出願公開。以下、「刊行物３」という。）には、図面と共に、以下の事項が記載されている。
　
【００４５】次いで、暗号解読ファイル伸長部２０６は、解読・伸長コード選択部２０７で選択された解読プログラムおよび伸長プログラムに基づいて、抽出した圧縮暗号化ファイルの暗号を解いたのちファイル伸長を行う。次いで、情報表示部２０８は、暗号解読ファイル伸長部２０６で解読，伸長されたデータから構成される番組表を表示し、利用者の閲覧に供する。
　
（３）．対比
　本願補正発明と刊行物１記載発明とを比較すると、刊行物１記載発明の「光ディスクＤＫ」、「コード多重暗号化記録信号ＳRSA」は、本願補正発明の「所定の記録媒体」、「暗号化された暗号化情報」に相当する。 
　
　また、刊行物１記載発明の「コンピュータ本体Ｍ」は、ＣＰＵ等を含み、コンピュータ用のディジタルデータの出力を受け、内部メモリにロードして、上記ＣＰＵ等で上記ディジタルデータの処理を行うものであるから、本願補正発明の「内部メモリにロードされたディジタル情報に基づいて所定のエンタテインメント処理を実行する手段を備えたエンタテインメント装置」とは、「内部メモリにロードされたディジタル情報に基づいて所定の処理を実行する手段を備えた装置」という点で一致する。
　
　また、刊行物１記載発明の「逆スクランブルボードＢ」は、コンピュータＣＯ中の拡張スロットに挿入され、ＬＳＩ回路がその上に配置されているから、本願補正発明の「エンタテインメント装置に装着される半導体ディバイス」とは、「装置に装着される半導体デバイス」である点で一致する。
　
　また、刊行物１記載発明の「逆スクランブル回路２４」は、暗号化され記録されているコード多重暗号化記録信号ＳRSAを光ディスクＤＫから検出し、検出されたコード多重暗号化記録信号ＳRSA から抽出した暗号化記録信号ＳRSを、ＩＣカードＣからの変形逆スクランブル関数信号ＳRFX を所定の方法で入力することにより解読・再生を行うから、本願補正発明の「少なくともその一部が圧縮且つ暗号化された暗号化情報を所定の記録媒体から読み出し、読み出した暗号化情報を自らが復号化し又は他の復号化手段に復号化させ、これによって得られた復号化データを伸長して前記ディジタル情報を生成する」点とは、「少なくともその一部が暗号化情報を所定の記録媒体から読み出し、読み出した暗号化情報を自らが復号化し、これによって得られた復号化データからディジタル情報を生成する」点で一致する。
　
　また、刊行物１記載発明の「逆スクランブルボードＢ」は、再生されたコンピュータ用のディジタルデータをＣＰＵ等を含むコンピュータ本体Ｍに出力するから、本願補正発明の「生成したディジタル情報を、自己と前記内部メモリとの間に設けられたキューを介して前記内部メモリにロードさせるローディング機能を有するエンタテインメント装置用の半導体ディバイス」とは、「生成したディジタル情報を、前記内部メモリにロードさせるローディング機能を有する半導体ディバイス」である点で一致する。
　
　したがって、両者の発明の一致点、相違点は以下のとおりである。
　
［一致点］
　「ロードされたディジタル情報に基づいて処理を実行する手段を備えた装置に装着される半導体ディバイスであって、少なくともその一部が暗号化情報を所定の記録媒体から読み出し、読み出した暗号化情報を自らが復号化し、これによって得られた復号化データからディジタル情報を生成するとともに、生成したディジタル情報を、前記内部メモリにロードさせるローディング機能を有する半導体ディバイス。」である点。　
 　
［相違点１］
　装置が、本願補正発明では、「エンタテインメント処理を実行するエンタテインメント装置」であるのに対して、刊行物１記載発明では、エンタテインメント処理を実行するかどうか、エンタテインメント装置であるかどうかそれぞれ不明である点。
　
［相違点２］
　半導体ディバイスが、本願補正発明では、「ディジタル情報を、自己と内部メモリとの間に設けられたキューを介して内部メモリにロードさせる」のに対して、刊行物１記載発明では、逆スクランブルボードＢが、自己と内部メモリとの間に設けられたキューを介して内部メモリにロードさせるかどうか不明である点。
　
［相違点３］
　暗号化情報が、本願補正発明では、「圧縮且つ暗号化され」、「暗号化情報」を「復号化させ、これによって得られた復号化データを伸長して前記ディジタル情報を生成する」のに対し、刊行物１記載発明では、暗号化情報が圧縮されておらず、伸長していない点。
　
（４）．判断
［相違点１］について　　
　
　刊行物１記載発明の「コンピュータＣＯ」がエンタテインメント処理を実行可能なハード構成を有していることや、コンピュータをエンタテインメント装置として動作させるコンピュータプログラムは、技術常識であるから、「コンピュータ本体」に、そのようなコンピュータプログラムをロードすることによって、エンタテインメント処理を実行するエンタテインメント装置とすることは当業者が容易になし得たことと認める。
　
 ［相違点２］について
　ディジタル情報を、入出力装置と内部メモリとの間に設けられたキューを介して内部メモリにロードさせることは周知である（以下、「周知技術１」という）（必要ならば、特開平５−２１０６１７号公報の第３頁第３欄第２９行乃至第４欄第３行の「入出力制御装置からメインメモリに対してデータの書込みを行う場合、拡張バスの所有権を得たとき書込みデータを対応するデータバッファに格納して拡張バスの所有権を開放し、基本バスの所有権を獲得したとき、データバッファに格納しておいた書込みデータをメインメモリに対して書込む」点、特開平６−１７５９６０号公報の第３頁第３欄第３１行乃至第４欄第３２行の「プロセッサ（ＭＰＵ）（４２１）は、コマンドレジスタ（ＣＭＲ）への蓄積内容を解析し、ＤＭＡ制御部（ＤＭＣ）（４０６）を起動して指定されたＤＭＡ動作を実行開始する。・・・（中略）・・・外部記憶部（ＦＭＵ）（４０１）からデータ（ｄ）を抽出し、一旦バッファメモリ（ＢＭ）（４０２）に蓄積した後、・・・（中略）・・・主記憶装置（ＭＭ）（２）の所定アドレス（ａ）に転送データ（ｄ）を格納させる」を参照）。
　
　そうすると、刊行物１記載発明の逆スクランブルボードＢにおいて、ディジタル情報を、入出力装置と内部メモリとの間に設けられたキューを介して内部メモリにロードさせることはそれぞれ当業者が適宜になし得る設計事項にすぎない。　
　
［相違点３］について
　刊行物２、３及び特開平５−１６５７２８号公報（第５頁第７欄第１８行乃至第２７行の「又、制御部７は、分析結果により、リードデータが、暗号・圧縮テープであれば、制御部７は、オペレーション設定部１１の暗号方法情報と暗号キーとにより、暗号・復号化回路１２を起動し、圧縮・伸長化回路１３を起動して、インターナルバスアダプタ１４のリードデータを、圧縮・伸長化回路１３に転送して、伸長データに変換した後、暗号・復号化回路１２に転送し、指定された暗号方法と暗号キーとにより復号データに変換せしめ、チャネルインターフェース部１０に転送して、ホスト１に転送する。」を参照）等により暗号化情報として、「圧縮且つ暗号化された暗号化情報」を用いることや、圧縮された情報を「復号化させ、これによって得られた復号化データを伸長してディジタル情報を生成する回路」は周知である（以下、「周知技術２」という）。
　
　そうすると、刊行物１記載発明において、「暗号化され記録されているコード多重暗号化記録信号ＳRSA」（本願補正発明の「暗号化情報」に相当）を圧縮且つ暗号化された暗号化情報とし、「逆スクランブル回路２４」の代わりに、圧縮且つ暗号化された暗号化情報を復号化させ、これによって得られた復号化データを伸長してディジタル情報を生成する回路を用いることはそれぞれ当業者が適宜になし得る設計事項にすぎない。
　
　そして、本願補正発明の作用効果も、刊行物１記載発明及び周知技術１、２から当業者が予測できる範囲のものである。
　
（５）むすび 
 　以上のとおり、本件補正は、特許法第１７条の２第５項において準用する同法第１２６条第５項の規定に違反するので、特許法第１５９条第１項の規定において読み替えて準用する同法第５３条第１項の規定により却下すべきものである。 
　
　よって、結論のとおり決定する。
　
第３．本願発明について 
　
１．本願発明
　平成１６年１２月２８日付けの手続補正は上記のとおり却下されたので、本願の請求項５に係る発明は、同年８月２７日付けの手続補正書の請求項５に記載された事項により特定される、以下のとおりのものである。 
　
　「【請求項５】
　内部メモリにロードされたディジタル情報に基づいて所定のエンタテインメント処理を実行する手段を備えたエンタテインメント装置に装着される半導体ディバイスであって、少なくともその一部が圧縮且つ暗号化された暗号化情報を所定の記録媒体から読み出し、読み出した暗号化情報を自らが復号化し又は他の復号化手段に復号化させ、これによって得られた復号化データを伸長して前記ディジタル情報を生成するとともに、生成したディジタル情報を前記内部メモリにロードさせるローディング機能を有することを特徴とする、エンタテインメント装置用の半導体ディバイス。」
　
２．刊行物の記載
　
　刊行物１記載発明及び周知技術２は、前記「第２．（２）」、「第２．（４）」で述べたとおりである。
　
３．対比・検討
　
　本願発明は、前記「第２．（１）」で検討した本願補正発明から「生成したディジタル情報を前記内部メモリにロードさせる」の限定事項である「自己と前記内部メモリとの間に設けられたキューを介して」との構成を省いたものである。 
　
　そうすると、本願発明の構成要件を全て含み、さらに他の構成要件を付加したものに相当する本願補正発明が、前記「第２．（４）」に記載したとおり、刊行物１記載発明及び上記周知技術２に基づいて、当業者が容易に発明をすることができたものであるから、本願発明も、同様の理由により、刊行物１記載発明及び周知技術２に基づいて、当業者が容易に発明をすることができたものである。 
　
第４．むすび
　以上のとおり、本願発明は、刊行物１記載発明及び周知技術２に基づいて、当業者が容易に発明をすることができたものであるから、特許法第２９条第２項の規定により特許を受けることができない。
　
　したがって、本願は、その余の請求項について論及するまでもなく、拒絶すべきものである。
　
　よって、結論のとおり審決する。